(57)【要約】  フォルダ上部構造（１７）は、リードローラ（１１）と、リードローラ（１１）に圧力を加えるニッピングローラ（１５）と、リードローラ（１１）およびニッピングローラ（１５）を支持するフレーム（１６）とを備えて提供されている。フレーム（１６）は、リードローラおよびニッピングローラが第１のウェブリボン（３０）に作用する第１の位置とリードローラおよびニッピングローラが第２のウェブリボン（５０）に作用する第２の位置との間を選択的に可動である。さらに印刷済みのウェブを折り畳む方法が提供される。
2011520738.tif 000002
【特許請求の範囲】
【請求項１】
フォルダ上部構造において、
リードローラと、
リードローラに圧力を加えるニッピングローラと、
リードローラおよびニッピングローラが第１のウェブリボンに作用する第１の位置とリードローラおよびニッピングローラが第２のウェブリボンに作用する第２の位置との間を選択的に可動である、リードローラおよびニッピングローラを支持するフレームと、
を備えていることを特徴とする、フォルダ上部構造。
【請求項２】
リードローラおよびニッピングローラの下流側に位置決めされたフォーマを備えた、請求項１記載のフォルダ上部構造。
【請求項３】
リードローラおよびニッピングローラの下流側に位置決めされた収集ローラを備えた、請求項１記載のフォルダ上部構造。
【請求項４】
第１の位置と第２の位置との間でフレームを移動させる直線運動装置を備えた、請求項１記載のフォルダ上部構造。
【請求項５】
リードローラとニッピングローラとを駆動するモータを備えた、請求項１記載のフォルダ上部構造。
【請求項６】
モータを制御するコントローラを備えた、請求項５記載のフォルダ上部構造。
【請求項７】
リードローラ、ニッピングローラおよび可動のフレームのうちの少なくとも１つの位置を検出するセンシングエレメントを備えた、請求項１記載のフォルダ上部構造。
【請求項８】
センシングエレメントは、リードローラ、ニッピングローラおよび可動のフレームのうちの少なくとも１つの位置をコントローラに通知する、請求項７記載のフォルダ上部構造。
【請求項９】
フレームが第１の位置に存在するかまたは第２の位置に存在するかを検出するセンシングエレメントと、
リードローラを駆動するモータと、
第１の位置と第２の位置との間でフレームを移動させる直線運動装置と、
センシングエレメントから信号を受信して、モータと直線運動装置とを制御するコントローラとを備えた、請求項１記載のフォルダ上部構造。
【請求項１０】
第１の印刷機と、
第２の印刷機と、
第１の印刷機と第２の印刷機との間に位置決めされた、請求項１記載のフォルダ上部構造とを備えたことを特徴とする、印刷機構。
【請求項１１】
印刷済みのウェブを折り畳む方法において、
第１の位置におけるリードローラとニッピングローラとを用いて第１のウェブを折り畳み、
第２の位置へリードローラとニッピングローラとを移動させ、
リードローラとニッピングローラとを用いて第２のウェブを折り畳む、
ことを特徴とする、印刷済みのウェブを折り畳む方法。
【発明の詳細な説明】
【技術分野】
【０００１】
本発明は、概して印刷機に関し、より具体的にはフォルダ上部構造のためのリボン搬送に関する。
【０００２】
発明の背景
米国特許第６５７８４７９号明細書において、ウェブ輪転印刷機の操作方法が開示されている。ウェブが輪転印刷機を通走し、ウェブは、印刷ユニットの上流側に位置する第１の引張りユニットと、冷却ユニットにより構成される第６の引張りユニットと、ターニングバーの上流側に位置する第２の引張りユニットとを連続的に通走する。断裁装置は、ウェブを２つのウェブ流れに分割し、各ウェブ流れは、各第３の引張りユニットの１つを通走する。第４の引張り装置は、折りフォーマの上流側に位置決めされており、第５の引張り装置は、折りフォーマの下流側に位置決めされている。
【０００３】
米国特許第７１９１７０４号明細書において、複数の巻取キャリヤと複数の印刷ユニット群とを備えたウェブ印刷機が開示されている。印刷ユニットにおいて印刷材料が印刷されたあとで、印刷材料は、フォルダ上部構造に供給される。
【０００４】
米国特許出願公開第２００６／０１５７９２４号明細書において、フォルダ上部構造が開示されており、フォルダ上部構造では、印刷済みのウェブから形成されたリボン束が引張りローラを通走し、次いで収集ローラを通過してＲＴＦに向かって走行する。
【０００５】
発明の概要
フォルダ上部構造は、リードローラと、リードローラに圧力を加えるニッピングローラと、リードローラおよびニッピングローラを支持するフレームとを備えて提供されている。フレームは、リードローラおよびニッピングローラが第１のウェブリボンに作用する第１の位置とリードローラおよびニッピングローラは第２のウェブリボンに作用する第２の位置との間を選択的に可動である。
【０００６】
印刷済みのウェブを折り畳む方法が提供されている。この方法において、第１の位置でリードローラとニッピングローラとを用いて第１のウェブを折り畳み、第２の位置へリードローラとニッピングローラとを移動させ、リードローラとニッピングローラとを用いて第２のウェブを折り畳む。
【０００７】
以下に、図面に基づいて本発明の実施の形態を詳しく説明する。
【図面の簡単な説明】
【０００８】
【図１】本発明の１つの実施の形態による印刷機構を示す概略側面図である。
【図２】直線運動装置１６０を備えた、図１に示すフォルダ上部構造を拡大して示す側面図である。
【図３】図１に示す第１の印刷機を拡大して示す側面図である。
【図４】図１に示す第２の印刷機を拡大して示す側面図である。
【０００９】
詳細な説明
ウェブ印刷機において、通常、ウェブは、幾つかのリボンに断裁される。リボンは、複数のローラによってフォーマに向けて搬送され、フォーマは、これらのリボンの束を縦折りするように働く。ローラは、単独でまたは対偶を成してリボンに作用することにより、リボンを搬送することができ、多くの場合、対偶のうちの一方のローラが駆動され、他方のローラを回転させる。近従来技術に開示されているように、リボンは、通常、専ら一方向から、単数または複数の印刷ユニットによってフォォーマに供給される。他の方向に位置決めされた単数または複数の印刷ユニットに切り換える必要が生じると、付加的にこの新しい方向からのリボンを受容するために、付加的な駆動モータまたはローラが要求される。
【００１０】
図１には、本発明の１つの実施の形態による印刷機構１８を側面図で示す。印刷システム１８は、第１の印刷機２０と第２の印刷機４０とフォルダ上部構造１７とを備えており、フォルダ上部構造１７は、各印刷機２０，４０と協働することができる。フォルダ上部構造１７は、リボン搬送システム１９と収集ローラ１４とフォーマ１２とを備えてよい。リボン搬送システム１９は、リードローラ１１と、ニッピングローラ１５と、可動のフレーム１６と、リードローラ１１を駆動するモータ２１とを備えてよい。択一的な実施の形態では、リードローラ１１は、別個のモータによって駆動してもよい。リボン搬送システム１９は、第１の印刷機２０により印刷される第１のウェブリボン３０または第２の印刷機４０により印刷される第２のウェブリボン５０に作用する。
【００１１】
図１には、リボン搬送システム１９を、実線で示し、また図２では位置Ａとして示唆する、第１のウェブリボン３０に作用する第１の位置で示す。さらに図１には、破線で、リボン搬送システム１９が第２のウェブリボン５０に作用する場合に、どのようにしてリボン搬送システム１９が第２の位置（図２では位置Ｂとして示す）に位置決めされるかを示す。リードローラ１１、ニッピングローラ１５およびモータ２１は、可動のフレーム１６に取り付けることができる。フレーム１６は、リードローラ１１、ニッピングローラ１５およびモータ２１を、少なくとも第１の位置である位置Ａと第２の位置である位置Ｂとの間で移動できるように構成されている。
【００１２】
図１および図３に示すように、第１の印刷機２０は、複数の第１の印刷ユニット２２，２３，２４，２５を備えている。第１の印刷ユニット２２，２３，２４，２５は、第１のウェブ２６が印刷ユニット２２，２３，２４，２５を通過しながら、第１のウェブ２６に画像を印刷する。第１のウェブ２６は、第１の断裁装置２８によって、２つまたは３つ以上の第１のウェブリボン３０に断裁される。次いで第１のウェブリボン３０は、フォルダ上部構造１７のリボン搬送システム１９に走入する。第１のウェブリボン３０は、リードローラ１１およびニッピングローラ１５により、収集ローラ１４に向かって搬送される。第１のウェブリボン３０は、モータ２１によりリードローラ１１が反時計回り方向に回転させられながら、ニッピングローラ１５を用いてリードローラ１１に圧力を加えることにより搬送される。収集ローラ１４は、第１のウェブリボン３０をフォーマ１２に向かって送り、フォーマ１２は、第１のウェブリボン３０を縦折りする。第１のウェブリボン３０が縦折りされたあとで、搬送ローラ１３が、第１のウェブリボン３０を、フォーマ１２から離間する方向に送り、場合によっては付加的なポストプレス装備、たとえばフォルダ、トリマ（化粧裁ち装置）、コレータ、パーフォレータ、インサータまたは平版印刷機にみられる別のポストプレス装備に向けて送る。
【００１３】
リードローラ１１およびニッピングローラ１５が第１の位置としての位置Ａに位置決めされている場合には、リードローラ１１、ニッピングローラ１５および収集ローラ１４は、専ら第１のウェブリボン３０に作用する。位置Ａでは、リードローラ１１が、軸線Ｃの右側に位置決めされており、したがってリードローラ１１、ニッピングローラ１５および収集ローラ１４は、第１のウェブリボン３０を、印刷ユニット２２，２３，２４，２５から、軸線Ｃに沿って縦折りするためのフォーマ１２に向けて送ることができる。
【００１４】
図１および図４に示すように、第２の印刷機４０は、複数の第２の印刷ユニット４２，４３，４４，４５を備えている。第２のウェブ４６は、第２の印刷ユニット４２，４３，４４，４５を通って搬送される。第２のウェブ４６が印刷ユニット４２，４３，４４，４５を通走しながら、第２の印刷ユニット４２，４３，４４，４５は、第２のウェブ４６に画像を印刷する。次いで第２のウェブ４６は、第２の断裁装置４８により２つまたは３つ以上の第２のウェブリボン５０に断裁される。次いで第２のウェブリボン５０は、フォルダ上部構造１７のリボン搬送システム１９に向かって送られる。次いでリードローラ１１およびニッピングローラ１５は、第２のウェブリボン５０を収集ローラ１４に向かって搬送する。リードローラ１１がモータ２１により時計回り方向に回転させられながら、第２のウェブリボン５０は、ニッピングローラ１５によりリードローラ１１に押し付けられることにより搬送される。次いで収集ローラ１４は、第２のウェブリボン５０を、第２のウェブリボン５０を縦折りするフォーマ１２に向かって送る。第２のウェブリボン５０が縦折りされたあとで、搬送ローラ１３は、第２のウェブリボン５０をフォーマ１２から離間する方向に送り、場合によっては付加的なポストプレス装備、たとえばフォルダ、トリマ、コレータ、パーフォレータ、ステッチャ、インサータまたは平版印刷機にみられる別のポストプレス装備に向かって送る。
【００１５】
リードローラ１１およびニッピングローラ１５が第２の位置としての位置Ｂに位置決めされている場合には、リードローラ１１、ニッピングローラ１５および収集ローラ１４は、専ら第２のウェブリボン５０に作用する。位置Ｂでは、リードローラ１１は、図１に示すように、軸線Ｃの左側に位置決めされている。したがってリードローラ１１、ニッピングローラ１５および収集ローラ１４は、軸線Ｃに沿って、第２の印刷機４０から、第２のウェブリボン５０を縦折りするためのフォーマ１２に引き出す。
【００１６】
センシングエレメント１５０、たとえばリミットスイッチまたは近接センサが、１つまたは２つ以上のリードローラの位置、１つまたは２つ以上のニッピングローラ１５の位置または可動のフレーム１６の位置を検出することにより、リボン搬送システム１９の位置を検出するために用いることができる。コントローラ６０は、センシングエレメント１５０から信号を受信して、リボン搬送システム１９の位置に基づいてリードローラ１１を回転させるためのモータ２１を操作することができる。モータ２１は、可動のフレーム１６に直接に取り付けてよい。
【００１７】
図２には、図１に示すリボン搬送システム１９を拡大して概略側面図で示す。図２には、位置Ａおよび位置Ｂを記入した。リボン搬送システム１９は、位置Ａと位置Ｂとの間を移動することができ、したがって他のリードローラ、ニッピングローラまたはモータの構成群を必要とせずに、フォーマ１２は、印刷機２０または４０からウェブリボン３０または５０を受容することができる。第１の印刷機２０から第２の印刷機４０へウェブリボン３０，５０の供給源を変更するために（図１）、フレーム１６は、位置Ａから位置Ｂへ移動させられる。第２の印刷機４０から第１の印刷機２０へ切り換えして戻すために、可動のフレーム１６は、位置Ｂから位置Ａへ移動させられる。フレーム１６は、直線運動装置１６０、たとえばニューマチックシリンダ、ハイドロリックシリンダ、リニアモータ、モータ／送りねじ装置により、またはマシンオペレータによる手動の移動により、両印刷位置の間を移動することができる。フレーム１６は、安定化機構またはロック機構により印刷位置に保持することもできる。
【００１８】
好適な実施の形態では、被駆動のリードローラ１１が一方の印刷機２０，４０からウェブリボン３０または５０を引き出す位置にある場合、センシングエレメント１５０は、リボン搬送システム１９が位置Ａに存在するかまたは位置Ｂに存在するかを決定するために用いることができる。センシングエレメント１５０は、信号をコントローラ６０に送信し、コントローラ６０は、自動的に、リードローラ１１を回転させるべき方向を決定し、モータ２１によって、リードローラ１１を相応の方向に回転させる。たとえば可動のフレーム１６が位置Ａに存在すると、センシングエレメント１５０は、コントローラ６０に通知し、コントローラ６０は、モータ２１によってリードローラ１１を反時計回り方向に回転させることができる。フレーム１６が位置Ｂに存在すると、センシングエレメント１５０は、コントローラ６０に通知し、コントローラ６０は、モータ２１によってリードローラ１１を時計回り方向に回転させることができる。コントローラ６０は、直線運動装置１６０を制御することもできる。
【００１９】
図３には、リボン搬送システム１９が第１の搬送位置に存在している、図１に示す第１の印刷機２０を拡大側面図で示す。可動のフレーム１６は、リードローラ１１およびニッピングローラ１５と共に、位置Ａに配置されている。印刷ユニット２２，２３，２４，２５は、ウェブ２６に画像を印刷し、ウェブ２６は、第１の断裁装置２８により第１のウェブリボン３０に断裁される。リードローラ１１およびニッピングローラ１５は、第１のウェブリボン３０をフォーマ１２に向かって搬送するために位置決めされている。コントローラ６０は、センシングエレメント１５０から、リボン搬送システムが位置Ａに存在することを示す信号を受信し、モータ２１は、リードローラ１１を反時計回り方向に回転させる。
【００２０】
図４には、リボン搬送システム１９が第２の搬送位置に存在している、図１に示す第２の印刷機４０を拡大側面図で示す。可動のフレーム１６は、位置Ｂに配置されている。印刷ユニット４２，４３，４４，４５は、ウェブ４６に画像を印刷し、ウェブ４６は、第１の断裁装置４８により第２のウェブリボン５０に断裁される。リードローラ１１およびニッピングローラ１５は、第１のウェブリボン５０をフォーマ１２に向かって搬送するために位置決めされている。コントローラ６０は、センシングエレメント１５０から、リボン搬送システムが位置Ｂに存在することを示す信号を受信し、モータ２１は、リードローラ１１を時計回り方向に回転させる。
【００２１】
図１〜図４に示す実施の形態では、リボン搬送システム１９は水平に配列されているが、本発明は、この配列に制限されるものではない。たとえばリボン搬送システム１９は、フレーム１６が位置Ａと位置Ｂとの間を鉛直に移動するように配列するだけでなく、水平および鉛直に移動されるように配列することもできる。このような配列は、第１の印刷機２０、第２の印刷機４０およびフォーマ１２の配列に応じて必要となり得る。
【００２２】
前述の説明において、本発明は、特定の典型的な実施の形態および態様に関して説明した。しかしながら以下の特許請求の範囲に示された発明のより広い思想および範囲から逸脱することなく、様々な変更を加えてよいことは明らかである。したがって明細書および図面は、制限するものとしてではなく単なる例示であるとみなすべきである。
【図１】
2011520738.tif 000003
【図２】
2011520738.tif 000004
【図３】
2011520738.tif 000005
【図４】
2011520738.tif 000006
【国際調査報告】
2011520738.tif 000007